(57)【要約】【課題】釣り人が、様々な大きさや形状のルアーを揃えることを不要にし、釣り人にとって利便性の高いルアーを提供する。【解決手段】ルアー１は、魚釣りに用いられるルアー１であって、両端に向かって先細りとなる略四角柱形状に形成されるとともに、両端には釣り糸又は釣り針を掛止するための頭部側掛止部９Ａ及び尾部側掛止部９Ｂを有し、金属から構成され、表面に鏡面加工が施されたルアー本体５と、ルアー本体５に形成された取付面に取替え可能に取り付けられたホログラムシール１０Ａと、を有する。【選択図】図１
0003194847.tif 000002
【実用新案登録請求の範囲】
【請求項１】
魚釣りに用いられるルアーであって、
両端に向かって先細りとなる略多角柱形状に形成されるとともに、両端には釣り糸又は釣り針を掛止するための掛止部を有し、金属から構成され、表面に鏡面加工が施されたルアー本体と、
前記ルアー本体に形成された取付面に着脱自在に設けられる光沢部材と、
を有することを特徴とするルアー。
【請求項２】
前記取付面は、平滑な平面に形成され、
前記光沢部材は、光沢面を有するホログラムシールから構成されていることを特徴とする請求項１に記載のルアー。
【請求項３】
前記ルアー本体は、略四角柱形状に形成され、
前記取付面は、前記ルアー本体の第１面部と該第１面部の反対側の第２面部との両面に形成され、前記ホログラムシールは、それぞれの前記取付面に着脱自在に設けられる請求項２に記載のルアー。
【請求項４】
前記ルアー本体は、ステンレス、アルミ、又は鉛を含有する合金のいずれか一つから構成されるメタルジグであることを特徴とする請求項１乃至３のいずれか一項に記載のルアー。
【請求項５】
前記掛止部は、円環形状に形成されていることを特徴とする請求項１乃至４のいずれか一項に記載のルアー。
【考案の詳細な説明】
【技術分野】
【０００１】
本考案は、ルアーに関する。
【背景技術】
【０００２】
ルアーは、釣り人が魚釣りをするときに用いられる道具である（例えば、特許文献１参照）。特許文献１に記載されたルアーのルアー本体は、金属からなり、比較的重量のある物として構成されている。このため、釣り人は、ルアーを遠方まで投げることが可能になり、さらに、ルアーを海や湖、河の深い場所にまで沈めることが可能になる。
【先行技術文献】
【特許文献】
【０００３】
【特許文献１】特開２００１−１５７５３１号公報
【考案の概要】
【考案が解決しようとする課題】
【０００４】
釣り人が釣りをする場合、捕獲対象の魚の種類に応じて、ルアーの大きさや形状を適宜選択する必要がある。しかしながら、特許文献１に記載のルアーでは大きさや形状が定まっているため、釣り人は、複数のルアーを予め用意する必要がある。このため、様々な大きさや形状のルアーを取り揃え、かつ、釣り場まで持ち運ばなければならず、結果として、釣り人にとって、釣りをするための準備等が不便になる。
【０００５】
本考案は、上述の事情の下になされたもので、釣り人が、様々な大きさや形状のルアーを揃えることを不要にし、釣り人にとって利便性の高いルアーを提供することを目的とする。
【課題を解決するための手段】
【０００６】
上述の目的を達成するために、本考案に係るルアーは、
魚釣りに用いられるルアーであって、
両端に向かって先細りとなる略多角柱形状に形成されるとともに、両端には釣り糸又は釣り針を掛止するための掛止部を有し、金属から構成され、表面に鏡面加工が施されたルアー本体と、
前記ルアー本体に形成された取付面に着脱自在に設けられる光沢部材と、
を有することを特徴とする。
【０００７】
前記取付面は、平滑な平面に形成され、
前記光沢部材は、光沢面を有するホログラムシールから構成されていてもよい。
【０００８】
前記ルアー本体は、略四角柱形状に形成され、
前記取付面は、前記ルアー本体の第１面部と該第１面部の反対側の第２面部との両面に形成され、前記ホログラムシールは、それぞれの前記取付面に着脱自在に設けられてもよい。
【０００９】
前記ルアー本体は、ステンレス、アルミ、又は鉛を含有する合金のいずれか一つから構成されるメタルジグであってもよい。
【００１０】
前記掛止部は、円環形状に形成されていてもよい。
【考案の効果】
【００１１】
本考案によれば、捕獲対象の魚の種類に応じた大きさや形状の光沢部材を取り替えることで、複数のルアーを予め用意することが必要なくなり、様々な大きさや形状のルアーを取り揃え、かつ、釣り場まで持ち運ぶことが不要になる。結果として、釣り人にとって利便性の高いルアーを提供することができる。
【図面の簡単な説明】
【００１２】
【図１】本考案に係るルアーの斜視図（その１）である。
【図２】ルアーの斜視図（その２）である。
【図３】ルアーの側面図である。
【図４】ルアーの平面図である。
【図５】図４のＡ−Ａにおける断面図である。
【図６】ルアー本体の斜視図である。
【図７】本考案の側面に、図１に示すホログラムシールを別のホログラムシールに貼り替えたルアーの斜視図である。
【図８】本考案の側面に、図１、７に示すホログラムシールを別のホログラムシールに貼り替えたルアーの斜視図である。
【考案を実施するための形態】
【００１３】
以下、本考案に係るルアー１について、図１〜８を参照しつつ説明する。
【００１４】
ルアー１は、魚を捕獲するための道具である。ルアー１は、図１〜図３、図７、図８に示すように、ルアー本体５と、ホログラムシール１０Ａ、１０Ｂ、１０Ｃと、を有する。
【００１５】
ルアー本体５は、本実施形態においては、ステンレスから構成される比重の重い、例えば、メタルジグである。ルアー本体５は、両端（一端と他端）に向かって先細りとなる略四角柱形状に形成されている。また、ルアー本体５の表面には鏡面加工が施されている。ルアー本体５には、右側面部６Ｒと左側面部６Ｌと背部７と腹部８とが形成されている。右側面部６Ｒ及び左側面部６Ｌの表面の一部は、例えば、平滑な平面に形成されている。この平滑な平面は、後述するホログラムシール１０Ａ〜１０Ｃが取り付けられる取付面として構成される。背部７及び腹部８の表面は、なだらかな曲面に形成されている。詳細に説明すると、図示のように、ルアー本体５の把持と、その容易化、又は欠損回避等を意図し、背部７は、緩やかな曲面で、腹部８を、やや急に曲面（背部の曲面に対して）とする。
【００１６】
ルアー本体５は、その一端に釣り糸を掛止するための頭部側掛止部９Ａと、他端に釣り針を掛止するための尾部側掛止部９Ｂと、を有する。頭部側掛止部９Ａ及び尾部側掛止部９Ｂは、円環形状に形成されている。尚、本実施形態においては、頭部側掛止部９Ａ及び尾部側掛止部９Ｂは、円環形状に形成されているが、釣り糸及び釣り針を掛止できる形状であれば、その形状は任意である。例えば、円環の一部が解放されたＣ型形状であってもよい。
【００１７】
ホログラムシール１０Ａ〜１０Ｃは、一方の面に光沢面を有し、他方の面に粘着面を有する。ホログラムシール１０Ａ〜１０Ｃは、ルアー本体５の右側面部６Ｒ、左側面部６Ｌに形成された取付面に、貼り替え可能に貼り付けられる（着脱自在に設けられる）。尚、取付面に貼り付けられていない場合のホログラムシール１０Ａ〜１０Ｃの粘着面には、剥離紙が取り付けられる。本実施形態においては、ルアー本体５に取り付けられるホログラムシール１０Ａ〜１０Ｃの枚数は、ルアー本体５の取付面の形成数に対応して、２枚である。しかしながら、ルアー本体５に取り付けられるホログラムシール１０Ａ〜１０Ｃの枚数は任意である。ホログラムシール１０Ａ〜１０Ｃの枚数は、１枚であってもよいし、３枚以上であってもよい。
尚、ルアー本体５の取付け面に、複数の突起を設け、この突起に、ホログラムシール１０Ａ〜１０Ｃに設けた、掛止孔、掛止筒を掛止（係止）する構造も可能である（着脱自在に設けられる）。
【００１８】
以上のように構成されたルアー１を用いて、釣り人が釣りをする場合、図１〜図３、図７、図８に示すように、捕獲対象の魚の種類（例えば、体長の大小）に対応したホログラムシール１０Ａ〜１０Ｃを、ルアー本体５の右側面部６Ｒ、左側面部６Ｌに形成された取付面に貼り付ける。詳しくは、例えば、捕獲対象の魚の体長が比較的大きい場合には、図１〜図３に示すように、ルアー本体５の左右端の略一杯に至る長さとする。例えば、最長のホログラムシール１０Ａを、ルアー本体５の取付面に貼り付ける。また、捕獲対象の魚の体長が中間（大小の間）の場合には、図７に示すように、ルアー本体５の左右端の内側に至る長さとする。例えば、ホログラムシール１０Ｂを、ルアー本体５の取付面に貼り付ける。さらに、捕獲対象の魚の体長が比較的小さい場合には、図８に示すように、ルアー本体５の略真中になる長さとする。例えば、ホログラムシール１０Ｃを、ルアー本体５の取付面に貼り付ける。従って、図示の一例では、ホログラムシール１０Ａ＞ホログラムシール１０Ｂ＞ホログラムシール１０Ｃの長さとなる。尚、図示しないが、ホログラムシール１０Ａ＞ホログラムシール１０Ｂ＞ホログラムシール１０Ｃの面積比もあり得る。
釣り人は、捕獲対象の魚の種類に応じたホログラムシール１０Ａ〜１０Ｃを適宜貼り替えて、ルアー１の頭部側掛止部９Ａ、及び／又は、尾部側掛止部９Ｂとに、それぞれ釣り糸及び釣り針を掛止してから、ルアー１を、捕獲対象の魚が生息する海や湖、河に投げ入れる。ルアー本体５には、鏡面加工が施されているため、海等に沈んだルアー本体５は、周囲の海底、海中等の風景に溶け込むように同化し（目立たなくなり）、魚は、ルアー本体５の姿を視認しにくくなり、ホログラムシール１０Ａ〜１０Ｃのみを視認すると考えられる。そこで、魚の注意は、ホログラムシール１０Ａ〜１０Ｃのみに惹きつけられる。このように、魚は、ルアー本体５の形状や大きさ等に依存せずに、ホログラムシール１０Ａ〜１０Ｃの形状や大きさに依存して、ルアー１全体の形状や大きさを錯覚しつつ、ルアー１を視認するものと考えられる。
【００１９】
以上、説明したように、本実施形態に係るルアー１では、釣り人は、捕獲対象の魚の種類に応じた大きさや形状のホログラムシール１０Ａ〜１０Ｃを取り替える。ルアー本体５には、鏡面加工が施されているため、海等に沈んだルアー本体５は、周囲の風景に溶け込むように同化しつつ、ホログラムシール１０Ａ〜１０Ｃのみが捕獲対象の魚の注意を惹きやすくなる。複数のルアー１を予め用意、及び／又は、釣り場まで持ち運ぶ等の所作がなくなり、重宝すること、持ち物の軽量化に寄与できる。また、釣り場において、その都度、様々な大きさや形状のルアー１を取り揃える手間がなくなり、釣りを満喫できる。従って、釣り人に対して、利便性の高いルアー１を提供できる。
【００２０】
また、本実施形態では、ルアー本体５の取付面は、この一例では、平滑な平面に形成されている。このため、例えば、曲面から構成される取付面にホログラムシール１０Ａ〜１０Ｃを貼り付ける場合よりも、ホログラムシール１０Ａ〜１０Ｃの接着能力を向上させることができる。勿論、ルアー本体５の取付面の曲面状を排除する趣旨ではない。
【００２１】
また、ホログラムシール１０Ａ〜１０Ｃは、ルアー本体５の両側面部（右側面部６Ｒ、左側面部６Ｌ）に形成された取付面に貼り付けられている。このため、捕獲対象の魚が、ルアー１をどの方向からでも視認しやすくなり、集魚効果を向上させることができる。
【００２２】
また、ルアー本体５は、ステンレスから構成されているため、重量があり、海や湖、河の深くまで沈めることができる。
【００２３】
以上、本考案の実施形態について説明したが、本発明は上記実施形態等によって限定されるものではない。
【００２４】
例えば、上記実施形態においては、ルアー本体５は、ステンレスから構成されている。しかしながら、これに限らず、鏡面加工が施しやすい素材であれば、ステンレス以外の素材から構成されていてもよい。例えば、アルミや鉛を含有する合金で構成されていてもよい。
【００２５】
また、上記実施形態においては、ルアー本体５は、図１〜図８に示すように、四角柱形状に形成されている。しかしながら、これに限らず、四角柱形状以外の多角柱形状であってもよい。また、ホログラムシール１０Ａ〜１０Ｃを貼り付けやすい形状で、魚の形を模した形状としてもよい。ホログラムシール１０Ａ〜１０Ｃは、右側面部６Ｒ、左側面部６Ｌの他に、背部７、腹部８、頭部側掛止部９Ａ、尾部側掛止部９Ｂの何れかの面に、一枚〜複数取り付けてもよい。ルアー本体５の構成要素である掛止部９Ａ、９Ｂは、図１〜図８では前後２つと示したが、３つ以上の掛止部を設け、一つの掛止部に釣り糸を取り付け、その他複数の掛止部には釣り針を取付けてもよい。また、尾部側掛止部９Ｂに取り付けられる釣り針は、目的とする魚の種類により付け替えることが出来るようにしてもよい。複数の光沢部材を取り付ける場合、それぞれの光沢部材の大きさや形、模様が違っていてもよい。
【００２６】
本考案は、本考案の広義の精神と範囲を逸脱することなく、様々な実施形態及び変形が可能とされるものである。上述した実施形態は、本考案を説明するためのものであり、本考案の範囲を限定するものではない。
【符号の説明】
【００２７】
１  ルアー
５  ルアー本体
６Ｒ  右側面部
６Ｌ  左側面部
７  背部
８  腹部
９Ａ  頭部側掛止部
９Ｂ  尾部側掛止部
１０Ａ、１０Ｂ、１０Ｃ  ホログラムシール
【図１】
0003194847.tif 000003
【図２】
0003194847.tif 000004
【図３】
0003194847.tif 000005
【図４】
0003194847.tif 000006
【図５】
0003194847.tif 000007
【図６】
0003194847.tif 000008
【図７】
0003194847.tif 000009
【図８】
0003194847.tif 000010